(57)【要約】  サーバ装置（１２）が医療機関端末（１０）および患者端末（１１）と情報の送受信を行って服薬履歴を管理する服薬履歴管理方法であって、医療機関端末（１０）から受信した乱数値情報の要求に基づいて、乱数値情報を生成するステップと、乱数値情報を所定の記憶部に記憶させ、乱数値情報を医療機関端末（１０）に表示させるステップと、患者端末（１１）にて入力された乱数値情報と、患者端末（１１）に記憶されている患者識別情報とを患者端末（１１）から受信するステップと、所定の記憶部に記憶させた乱数値情報と、患者端末（１１）から受信した乱数値情報とが一致した場合、患者識別情報に対応する服薬履歴情報を所定の記憶部から読み出し、服薬履歴情報を医療機関端末（１０）に表示させるステップと、を含む。
2016166954.tif 000002
【特許請求の範囲】
【請求項１】
サーバ装置が第１の端末および第２の端末と情報の送受信を行って服薬履歴を管理する服薬履歴管理方法であって、
前記第１の端末から受信した識別用数値情報の要求に基づいて、前記識別用数値情報を生成するステップと、
前記識別用数値情報を所定の記憶部に記憶させ、前記識別用数値情報を前記第１の端末に表示させるステップと、
前記第２の端末にて入力された識別用数値情報と、前記第２の端末に記憶されている患者識別情報とを前記第２の端末から受信するステップと、
前記第２の端末から受信した識別用数値情報が前記所定の記憶部に記憶されている場合、前記第１の端末から受信した服薬履歴情報の要求に基づいて、前記患者識別情報に対応する服薬履歴情報を前記所定の記憶部から読み出し、前記服薬履歴情報を前記第１の端末に表示させるステップと、を含む、
服薬履歴管理方法。
【請求項２】
前記第２の端末から受信した識別用数値情報が前記所定の記憶部に記憶されていない場合、前記第２の端末から受信した識別用数値情報が未登録である旨を示す処理結果情報を前記第２の端末に表示させるステップと、
前記第２の端末から受信した識別用数値情報が前記所定の記憶部に記憶されている場合、前記所定の記憶部に記憶させた識別用数値情報に前記患者識別情報を紐付けて記憶させ、前記第２の端末から受信した識別用数値情報が登録済みである旨を示す処理結果情報を前記第２の端末に表示させるステップと、をさらに含む、
請求項１に記載の服薬履歴管理方法。
【請求項３】
前記第１の端末から前記服薬履歴情報の要求を受信した際に、前記所定の記憶部に記憶させた識別用数値情報に前記患者識別情報が紐付いて記録されていない場合、前記患者識別情報が未登録である旨を示す処理結果情報を前記第１の端末に表示させるステップと、をさらに含む、
請求項２に記載の服薬履歴管理方法。
【請求項４】
前記第１の端末から前記服薬履歴情報の要求を受信した際に、前記所定の記憶部に記憶させた識別用数値情報に前記患者識別情報が紐付いて記録されている場合、前記第２の端末から前記識別用数値情報を受信した後の第１の時刻から、前記第１の端末から前記服薬履歴情報の要求を受信した後の第２の時刻までの経過時間を算出するステップと、
前記経過時間が所定時間を超えている場合、前記所定の記憶部に記憶させた識別用数値情報と、それに紐付いている前記患者識別情報とを削除するとともに、前記第１の端末における前記服薬履歴情報の表示処理を終了させる旨を示す処理結果情報を前記第１の端末に表示させるステップと、
前記経過時間が所定時間を超えていない場合、前記患者識別情報に対応する前記服薬履歴情報を前記所定の記憶部から読み出し、前記服薬履歴情報を前記第１の端末に表示させるステップと、をさらに含む、
請求項２に記載の服薬履歴管理方法。
【請求項５】
第１の端末および第２の端末と通信可能な第１のサーバ装置と、前記第１の端末と通信可能な第２のサーバ装置とが服薬履歴を管理する服薬履歴管理方法であって、
前記第１のサーバ装置が、前記第１の端末から受信した識別用数値情報の要求に基づいて、前記識別用数値情報を生成するステップと、
前記第１のサーバ装置が、前記識別用数値情報を所定の記憶部に記憶させ、前記識別用数値情報を前記第１の端末に表示させるステップと、
前記第１のサーバ装置が、前記第２の端末に入力された識別用数値情報と、前記第２の端末に記憶されている患者識別情報および企業識別情報とを前記第２の端末から受信するステップと、
前記第１のサーバ装置が、前記第２の端末から受信した識別用数値情報が前記所定の記憶部に記憶されている場合、前記第２の端末から受信した企業識別情報に基づいて、前記第２のサーバ装置にアクセス可能なリダイレクト先情報を特定するステップと、
前記第２の端末から受信した患者識別情報と、前記リダイレクト先情報とを含むリダイレクト設定情報を生成し、該リダイレクト設定情報を前記第１の端末へ送信するステップと、
前記第２のサーバ装置が、前記第１の端末から前記リダイレクト設定情報に基づくアクセスがあった場合、該リダイレクト設定情報に含まれる患者識別情報に対応する服薬履歴情報を所定の記憶部から読み出し、該服薬履歴情報を前記第１の端末に表示させるステップと、を含む、
服薬履歴管理方法。
【請求項６】
第１の端末および第２の端末と通信可能な第１のサーバ装置と、前記第１の端末および前記第１のサーバ装置と通信可能な第２のサーバ装置とが服薬履歴を管理する服薬履歴管理方法であって、
前記第１のサーバ装置が、前記第１の端末から受信した識別用数値情報の要求に基づいて、前記識別用数値情報を生成するステップと、
前記第１のサーバ装置が、前記識別用数値情報を所定の記憶部に記憶させ、前記識別用数値情報を前記第１の端末に表示させるステップと、
前記第１のサーバ装置が、前記第２の端末に入力された識別用数値情報と、前記第２の端末に記憶されている患者識別情報および企業識別情報とを前記第２の端末から受信するステップと、
前記第１のサーバ装置が、前記第２の端末から受信した識別用数値情報が前記所定の記憶部に記憶されており、かつ、前記企業識別情報を受信したか否かを問い合わせるアクセスを前記第２のサーバ装置から事前に受けていた場合、前記第２の端末から受信した患者識別情報を前記第２のサーバ装置へ送信するステップと、
前記第２のサーバ装置が、前記第１のサーバ装置から前記患者識別情報を受信した場合、前記第２のサーバ装置にアクセス可能なリダイレクト先情報を前記第１のサーバ装置へ送信するステップと、
前記第１のサーバ装置が、前記第２の端末から受信した患者識別情報と、前記第２のサーバ装置から受信したリダイレクト先情報とを含むリダイレクト設定情報を生成し、該リダイレクト設定情報を前記第１の端末へ送信するステップと、
前記第２のサーバ装置が、前記第１の端末から前記リダイレクト設定情報に基づくアクセスがあった場合、該リダイレクト設定情報に含まれる患者識別情報に対応する服薬履歴情報を所定の記憶部から読み出し、該服薬履歴情報を前記第１の端末に表示させるステップと、を含む、
服薬履歴管理方法。
【請求項７】
第１の端末および第２の端末と情報の送受信を行って服薬履歴を管理する服薬履歴管理装置であって、
前記第１の端末から識別用数値情報の要求を受信した場合、前記識別用数値情報を生成し、前記識別用数値情報を所定の記憶部に記憶させ、前記識別用数値情報を前記第１の端末に表示させる制御を行う制御部を備え、
前記制御部は、
前記第２の端末にて入力された識別用数値情報と、前記第２の端末に記憶されている患者識別情報とを前記第２の端末から受信した場合、前記第２の端末から受信した識別用数値情報が前記所定の記憶部に記憶されているか否かを判定し、
前記第２の端末から受信した識別用数値情報が前記所定の記憶部に記憶されている場合、前記第１の端末から受信した服薬履歴情報の要求に基づいて、前記患者識別情報に対応する服薬履歴情報を前記所定の記憶部から読み出し、前記服薬履歴情報を前記第１の端末に表示させる制御を行う、
服薬履歴管理装置。
【請求項８】
所定の服薬履歴情報を管理するサーバ装置と通信可能な第１の端末と、第２の端末と情報の送受信を行い、所定の服薬履歴情報を管理する服薬履歴管理装置であって、
前記第１の端末から識別用数値情報の要求を受信した場合、前記識別用数値情報を生成し、前記識別用数値情報を所定の記憶部に記憶させ、前記識別用数値情報を前記第１の端末に表示させる制御を行う制御部を備え、
前記制御部は、
前記第２の端末にて入力された識別用数値情報と、前記第２の端末に記憶されている患者識別情報および企業識別情報とを前記第２の端末から受信した場合、前記第２の端末から受信した識別用数値情報が前記所定の記憶部に記憶されているか否かを判定し、
前記第２の端末から受信した識別用数値情報が前記所定の記憶部に記憶されている場合、前記第２の端末から受信した企業識別情報に基づいて、前記サーバ装置にアクセス可能なリダイレクト先情報を特定し、
前記第２の端末から受信した患者識別情報と、前記リダイレクト先情報とを含むリダイレクト設定情報を生成し、該リダイレクト設定情報を前記第１の端末へ送信するように制御し、
前記リダイレクト設定情報は、
前記サーバ装置が管理する服薬履歴情報を前記第１の端末に表示させるように、前記第１の端末が前記サーバ装置に要求する情報である、
服薬履歴管理装置。
【請求項９】
所定の服薬履歴情報を管理するサーバ装置と通信可能な第１の端末と、第２の端末と、前記サーバ装置と情報の送受信を行い、所定の服薬履歴情報を管理する服薬履歴管理装置であって、
前記第１の端末から識別用数値情報の要求を受信した場合、前記識別用数値情報を生成し、前記識別用数値情報を所定の記憶部に記憶させ、前記識別用数値情報を前記第１の端末に表示させる制御を行う制御部を備え、
前記制御部は、
前記第２の端末にて入力された識別用数値情報と、前記第２の端末に記憶されている患者識別情報および企業識別情報とを前記第２の端末から受信した場合、前記第２の端末から受信した識別用数値情報が前記所定の記憶部に記憶されているか否かを判定し、
前記第２の端末から受信した識別用数値情報が前記所定の記憶部に記憶されており、かつ、前記企業識別情報を受信したか否かを問い合わせるアクセスを前記サーバ装置から事前に受けていた場合、前記第２の端末から受信した患者識別情報を前記サーバ装置へ送信し、
前記患者識別情報を受信した前記サーバ装置から該サーバ装置にアクセス可能なリダイレクト先情報を受信した場合、前記第２の端末から受信した患者識別情報と、前記リダイレクト先情報とを含むリダイレクト設定情報を生成し、該リダイレクト設定情報を前記第１の端末へ送信するように制御し、
前記リダイレクト設定情報は、
前記サーバ装置が管理する服薬履歴情報を前記第１の端末に表示させるように、前記第１の端末が前記サーバ装置に要求する情報である、
服薬履歴管理装置。
【請求項１０】
第１の端末および第２の端末と情報の送受信を行って服薬履歴を管理するコンピュータに実行させる服薬履歴管理プログラムであって、
前記第１の端末から受信した識別用数値情報の要求に基づいて、前記識別用数値情報を生成する処理と、
前記識別用数値情報を所定の記憶部に記憶させ、前記識別用数値情報を前記第１の端末に表示させる処理と、
前記第２の端末にて入力された識別用数値情報と、前記第２の端末に記憶されている患者識別情報とを前記第２の端末から受信する処理と、
前記第２の端末から受信した識別用数値情報が前記所定の記憶部に記憶されている場合、前記第１の端末から受信した服薬履歴情報の要求に基づいて、前記患者識別情報に対応する服薬履歴情報を前記所定の記憶部から読み出し、前記服薬履歴情報を前記第１の端末に表示させる処理と、をコンピュータに実行させる、
服薬履歴管理プログラム。
【請求項１１】
所定の服薬履歴情報を管理するサーバ装置と通信可能な第１の端末と、第２の端末と情報の送受信を行い、所定の服薬履歴情報を管理するコンピュータに実行させる服薬履歴管理プログラムであって、
前記第１の端末から受信した識別用数値情報の要求に基づいて、前記識別用数値情報を生成する処理と、
前記識別用数値情報を所定の記憶部に記憶させ、前記識別用数値情報を前記第１の端末に表示させる処理と、
前記第２の端末にて入力された識別用数値情報と、前記第２の端末に記憶されている患者識別情報および企業識別情報とを前記第２の端末から受信した場合、前記第２の端末から受信した識別用数値情報が前記所定の記憶部に記憶されているか否かを判定する処理と、
前記第２の端末から受信した識別用数値情報が前記所定の記憶部に記憶されている場合、前記第２の端末から受信した企業識別情報に基づいて、前記サーバ装置にアクセス可能なリダイレクト先情報を特定する処理と、
前記第２の端末から受信した患者識別情報と、前記リダイレクト先情報とを含むリダイレクト設定情報を生成する処理と、
該リダイレクト設定情報を前記第１の端末へ送信する処理と、をコンピュータに実行させ、
前記リダイレクト設定情報は、
前記サーバ装置が管理する服薬履歴情報を前記第１の端末に表示させるように、前記第１の端末が前記サーバ装置に要求する情報である、
服薬履歴管理プログラム。
【請求項１２】
所定の服薬履歴情報を管理するサーバ装置と通信可能な第１の端末と、第２の端末と、前記サーバ装置と情報の送受信を行い、所定の服薬履歴情報を管理するコンピュータに実行させる服薬履歴管理プログラムであって、
前記第１の端末から受信した識別用数値情報の要求に基づいて、前記識別用数値情報を生成する処理と、
前記識別用数値情報を所定の記憶部に記憶させ、前記識別用数値情報を前記第１の端末に表示させる処理と、
前記第２の端末にて入力された識別用数値情報と、前記第２の端末に記憶されている患者識別情報および企業識別情報とを前記第２の端末から受信した場合、前記第２の端末から受信した識別用数値情報が前記所定の記憶部に記憶されているか否かを判定する処理と、
前記第２の端末から受信した識別用数値情報が前記所定の記憶部に記憶されており、かつ、前記企業識別情報を受信したか否かを問い合わせるアクセスを前記サーバ装置から事前に受けていた場合、前記第２の端末から受信した患者識別情報を前記サーバ装置へ送信する処理と、
前記患者識別情報を受信した前記サーバ装置から該サーバ装置にアクセス可能なリダイレクト先情報を受信した場合、前記第２の端末から受信した患者識別情報と、前記リダイレクト先情報とを含むリダイレクト設定情報を生成する処理と、
該リダイレクト設定情報を前記第１の端末へ送信する処理と、をコンピュータに実行させ、
前記リダイレクト設定情報は、
前記サーバ装置が管理する服薬履歴情報を前記第１の端末に表示させるように、前記第１の端末が前記サーバ装置に要求する情報である、
服薬履歴管理プログラム。
【発明の詳細な説明】
【技術分野】
【０００１】
本発明は、医薬品の服用の履歴を管理する服薬履歴管理方法、服薬履歴管理装置、および、服薬履歴管理プログラムに関する。
【背景技術】
【０００２】
従来、医療機関（例えば、病院や薬局）で扱われる患者の情報の一例として、医薬品の服用の履歴を示す服薬履歴情報が知られている。この服薬履歴情報は、これまで薬局が発行し、患者に手渡しを行う紙媒体のお薬手帳に記録されることが一般的であったが、現在では、服薬履歴情報を電子データ化して記録する電子版お薬手帳も普及しつつある（例えば、特許文献１参照）。例えば、薬剤師は、パーソナルコンピュータ等に表示される電子版お薬手帳を見て、患者の医薬品の飲み合わせに問題がないかを確認したり、処方する医薬品をジェネリック薬品へ変更できるかを確認したりする。また、例えば、医者は、パーソナルコンピュータ等に表示される電子版お薬手帳を見て、患者が過去に服用した薬や、以前に出した処方箋の内容がどのように変更されたのかなどを確認する。【０００３】
また、電子版お薬手帳は、医療関係者だけでなく、患者が閲覧することも可能である。例えば、患者が、スマートフォンなどにおいて、電子版お薬手帳専用のアプリケーション（以下、専用アプリケーションという）を用いて自分の電子版お薬手帳を閲覧することが考えられる。なお、専用アプリケーションは、インストールから情報の閲覧までスマートフォンのユーザに任されることになるため、ＩＴ技術に不慣れなユーザでも容易に使用できることが要求される。
【先行技術文献】
【特許文献】
【０００４】
【特許文献１】特開２０１５−４３２３９号公報
【発明の概要】
【発明が解決しようとする課題】
【０００５】
電子版お薬手帳はプライバシー性が高いため、その閲覧にはユーザ認証を必要とする態様が考えられる。例えば、まず、医療関係者は、パーソナルコンピュータ等において事前に登録操作を行い、ユーザ認証に必要なログイン情報（例えば、ＩＤやパスワード）を取得する。次に、スマートフォンの専用アプリケーションで電子版お薬手帳を利用している患者が来院した場合、医療関係者は、患者から電子版お薬手帳を閲覧可能とするための情報を聞き出し、パーソナルコンピュータ等において、ログイン後に、患者から聞き出した情報を入力する。これにより、入力された情報に紐付いた電子版お薬手帳が画面表示され、医療関係者が閲覧可能となる。しかしながら、このような態様には、以下の（１）〜（３）の課題がある。【０００６】
（１）医療関係者は、事前に登録操作を行う必要があり、また、電子版お薬手帳の閲覧の度にログイン操作を行う必要があり、手間がかかる。【０００７】
（２）医療関係者は、電子版お薬手帳の閲覧の度に、患者から電子版お薬手帳を閲覧可能とするための情報を聞き出し、聞き出した情報の入力操作を行う必要があり、手間がかかる。また、患者は、医療関係者に伝えるために自分の情報を覚えておく必要があり、手間がかかる。または、患者は、自分の情報を覚えていない場合、医療関係者に伝えるために自分の情報をスマートフォンに表示させる操作を行う必要があり、手間がかかる。【０００８】
（３）患者が、自分の電子版お薬手帳を閲覧可能とするための情報を閲覧資格の無い相手（例えば、医療関係者になりすました悪意のある第三者や、医療関係者であっても閲覧資格の無い者）に伝えてしまうことで、いつでも患者の承諾無く電子版お薬手帳が閲覧されるおそれがあり、セキュリティに問題がある。【０００９】
以上のことから、医療関係者と患者の手間を軽減し、かつ、患者が自分の識別情報を医療関係者に伝えることなく、電子版お薬手帳の閲覧を可能にすることが望まれる。【００１０】
本発明の目的は、ユーザの手間を軽減し、かつ、高度なセキュリティを確保した上で、情報の閲覧が可能となる服薬履歴管理方法、服薬履歴管理装置、および、服薬履歴管理プログラムを提供することである。
【課題を解決するための手段】
【００１１】
本発明の服薬履歴管理方法は、サーバ装置が第１の端末および第２の端末と情報の送受信を行って服薬履歴を管理する服薬履歴管理方法であって、前記第１の端末から受信した識別用数値情報の要求に基づいて、前記識別用数値情報を生成するステップと、前記識別用数値情報を所定の記憶部に記憶させ、前記識別用数値情報を前記第１の端末に表示させるステップと、前記第２の端末にて入力された識別用数値情報と、前記第２の端末に記憶されている患者識別情報とを前記第２の端末から受信するステップと、前記第２の端末から受信した識別用数値情報が前記所定の記憶部に記憶されている場合、前記第１の端末から受信した服薬履歴情報の要求に基づいて、前記患者識別情報に対応する服薬履歴情報を前記所定の記憶部から読み出し、前記服薬履歴情報を前記第１の端末に表示させるステップと、を含む。【００１２】
本発明の服薬履歴管理方法は、第１の端末および第２の端末と通信可能な第１のサーバ装置と、前記第１の端末と通信可能な第２のサーバ装置とが服薬履歴を管理する服薬履歴管理方法であって、前記第１のサーバ装置が、前記第１の端末から受信した識別用数値情報の要求に基づいて、前記識別用数値情報を生成するステップと、前記第１のサーバ装置が、前記識別用数値情報を所定の記憶部に記憶させ、前記識別用数値情報を前記第１の端末に表示させるステップと、前記第１のサーバ装置が、前記第２の端末に入力された識別用数値情報と、前記第２の端末に記憶されている患者識別情報および企業識別情報とを前記第２の端末から受信するステップと、前記第１のサーバ装置が、前記第２の端末から受信した識別用数値情報が前記所定の記憶部に記憶されている場合、前記第２の端末から受信した企業識別情報に基づいて、前記第２のサーバ装置にアクセス可能なリダイレクト先情報を特定するステップと、前記第２の端末から受信した患者識別情報と、前記リダイレクト先情報とを含むリダイレクト設定情報を生成し、該リダイレクト設定情報を前記第１の端末へ送信するステップと、前記第２のサーバ装置が、前記第１の端末から前記リダイレクト設定情報に基づくアクセスがあった場合、該リダイレクト設定情報に含まれる患者識別情報に対応する服薬履歴情報を所定の記憶部から読み出し、該服薬履歴情報を前記第１の端末に表示させるステップと、を含む。【００１３】
本発明の服薬履歴管理方法は、第１の端末および第２の端末と通信可能な第１のサーバ装置と、前記第１の端末および前記第１のサーバ装置と通信可能な第２のサーバ装置とが服薬履歴を管理する服薬履歴管理方法であって、前記第１のサーバ装置が、前記第１の端末から受信した識別用数値情報の要求に基づいて、前記識別用数値情報を生成するステップと、前記第１のサーバ装置が、前記識別用数値情報を所定の記憶部に記憶させ、前記識別用数値情報を前記第１の端末に表示させるステップと、前記第１のサーバ装置が、前記第２の端末に入力された識別用数値情報と、前記第２の端末に記憶されている患者識別情報および企業識別情報とを前記第２の端末から受信するステップと、前記第１のサーバ装置が、前記第２の端末から受信した識別用数値情報が前記所定の記憶部に記憶されており、かつ、前記企業識別情報を受信したか否かを問い合わせるアクセスを前記第２のサーバ装置から事前に受けていた場合、前記第２の端末から受信した患者識別情報を前記第２のサーバ装置へ送信するステップと、前記第２のサーバ装置が、前記第１のサーバ装置から前記患者識別情報を受信した場合、前記第２のサーバ装置にアクセス可能なリダイレクト先情報を前記第１のサーバ装置へ送信するステップと、前記第１のサーバ装置が、前記第２の端末から受信した患者識別情報と、前記第２のサーバ装置から受信したリダイレクト先情報とを含むリダイレクト設定情報を生成し、該リダイレクト設定情報を前記第１の端末へ送信するステップと、前記第２のサーバ装置が、前記第１の端末から前記リダイレクト設定情報に基づくアクセスがあった場合、該リダイレクト設定情報に含まれる患者識別情報に対応する服薬履歴情報を所定の記憶部から読み出し、該服薬履歴情報を前記第１の端末に表示させるステップと、を含む。【００１４】
本発明の服薬履歴管理装置は、第１の端末および第２の端末と情報の送受信を行って服薬履歴を管理する服薬履歴管理装置であって、前記第１の端末から識別用数値情報の要求を受信した場合、前記識別用数値情報を生成し、前記識別用数値情報を所定の記憶部に記憶させ、前記識別用数値情報を前記第１の端末に表示させる制御を行う制御部を備え、前記制御部は、前記第２の端末にて入力された識別用数値情報と、前記第２の端末に記憶されている患者識別情報とを前記第２の端末から受信した場合、前記第２の端末から受信した識別用数値情報が前記所定の記憶部に記憶されているか否かを判定し、前記第２の端末から受信した識別用数値情報が前記所定の記憶部に記憶されている場合、前記第１の端末から受信した服薬履歴情報の要求に基づいて、前記患者識別情報に対応する服薬履歴情報を前記所定の記憶部から読み出し、前記服薬履歴情報を前記第１の端末に表示させる制御を行う。【００１５】
本発明の服薬履歴管理装置は、所定の服薬履歴情報を管理するサーバ装置と通信可能な第１の端末と、第２の端末と情報の送受信を行い、所定の服薬履歴情報を管理する服薬履歴管理装置であって、前記第１の端末から識別用数値情報の要求を受信した場合、前記識別用数値情報を生成し、前記識別用数値情報を所定の記憶部に記憶させ、前記識別用数値情報を前記第１の端末に表示させる制御を行う制御部を備え、前記制御部は、前記第２の端末にて入力された識別用数値情報と、前記第２の端末に記憶されている患者識別情報および企業識別情報とを前記第２の端末から受信した場合、前記第２の端末から受信した識別用数値情報が前記所定の記憶部に記憶されているか否かを判定し、前記第２の端末から受信した識別用数値情報が前記所定の記憶部に記憶されている場合、前記第２の端末から受信した企業識別情報に基づいて、前記サーバ装置にアクセス可能なリダイレクト先情報を特定し、前記第２の端末から受信した患者識別情報と、前記リダイレクト先情報とを含むリダイレクト設定情報を生成し、該リダイレクト設定情報を前記第１の端末へ送信するように制御し、前記リダイレクト設定情報は、前記サーバ装置が管理する服薬履歴情報を前記第１の端末に表示させるように、前記第１の端末が前記サーバ装置に要求する情報である。【００１６】
本発明の服薬履歴管理装置は、所定の服薬履歴情報を管理するサーバ装置と通信可能な第１の端末と、第２の端末と、前記サーバ装置と情報の送受信を行い、所定の服薬履歴情報を管理する服薬履歴管理装置であって、前記第１の端末から識別用数値情報の要求を受信した場合、前記識別用数値情報を生成し、前記識別用数値情報を所定の記憶部に記憶させ、前記識別用数値情報を前記第１の端末に表示させる制御を行う制御部を備え、前記制御部は、前記第２の端末にて入力された識別用数値情報と、前記第２の端末に記憶されている患者識別情報および企業識別情報とを前記第２の端末から受信した場合、前記第２の端末から受信した識別用数値情報が前記所定の記憶部に記憶されているか否かを判定し、前記第２の端末から受信した識別用数値情報が前記所定の記憶部に記憶されており、かつ、前記企業識別情報を受信したか否かを問い合わせるアクセスを前記サーバ装置から事前に受けていた場合、前記第２の端末から受信した患者識別情報を前記サーバ装置へ送信し、前記患者識別情報を受信した前記サーバ装置から該サーバ装置にアクセス可能なリダイレクト先情報を受信した場合、前記第２の端末から受信した患者識別情報と、前記リダイレクト先情報とを含むリダイレクト設定情報を生成し、該リダイレクト設定情報を前記第１の端末へ送信するように制御し、前記リダイレクト設定情報は、前記サーバ装置が管理する服薬履歴情報を前記第１の端末に表示させるように、前記第１の端末が前記サーバ装置に要求する情報である。【００１７】
本発明の服薬履歴管理プログラムは、第１の端末および第２の端末と情報の送受信を行って服薬履歴を管理するコンピュータに実行させる服薬履歴管理プログラムであって、前記第１の端末から受信した識別用数値情報の要求に基づいて、前記識別用数値情報を生成する処理と、前記識別用数値情報を所定の記憶部に記憶させ、前記識別用数値情報を前記第１の端末に表示させる処理と、前記第２の端末にて入力された識別用数値情報と、前記第２の端末に記憶されている患者識別情報とを前記第２の端末から受信する処理と、前記第２の端末から受信した識別用数値情報が前記所定の記憶部に記憶されている場合、前記第１の端末から受信した服薬履歴情報の要求に基づいて、前記患者識別情報に対応する服薬履歴情報を前記所定の記憶部から読み出し、前記服薬履歴情報を前記第１の端末に表示させる処理と、をコンピュータに実行させる。【００１８】
本発明の服薬履歴管理プログラムは、所定の服薬履歴情報を管理するサーバ装置と通信可能な第１の端末と、第２の端末と情報の送受信を行い、所定の服薬履歴情報を管理するコンピュータに実行させる服薬履歴管理プログラムであって、前記第１の端末から受信した識別用数値情報の要求に基づいて、前記識別用数値情報を生成する処理と、前記識別用数値情報を所定の記憶部に記憶させ、前記識別用数値情報を前記第１の端末に表示させる処理と、前記第２の端末にて入力された識別用数値情報と、前記第２の端末に記憶されている患者識別情報および企業識別情報とを前記第２の端末から受信した場合、前記第２の端末から受信した識別用数値情報が前記所定の記憶部に記憶されているか否かを判定する処理と、前記第２の端末から受信した識別用数値情報が前記所定の記憶部に記憶されている場合、前記第２の端末から受信した企業識別情報に基づいて、前記サーバ装置にアクセス可能なリダイレクト先情報を特定する処理と、前記第２の端末から受信した患者識別情報と、前記リダイレクト先情報とを含むリダイレクト設定情報を生成する処理と、該リダイレクト設定情報を前記第１の端末へ送信する処理と、をコンピュータに実行させ、前記リダイレクト設定情報は、前記サーバ装置が管理する服薬履歴情報を前記第１の端末に表示させるように、前記第１の端末が前記サーバ装置に要求する情報である。【００１９】
本発明の服薬履歴管理プログラムは、所定の服薬履歴情報を管理するサーバ装置と通信可能な第１の端末と、第２の端末と、前記サーバ装置と情報の送受信を行い、所定の服薬履歴情報を管理するコンピュータに実行させる服薬履歴管理プログラムであって、前記第１の端末から受信した識別用数値情報の要求に基づいて、前記識別用数値情報を生成する処理と、前記識別用数値情報を所定の記憶部に記憶させ、前記識別用数値情報を前記第１の端末に表示させる処理と、前記第２の端末にて入力された識別用数値情報と、前記第２の端末に記憶されている患者識別情報および企業識別情報とを前記第２の端末から受信した場合、前記第２の端末から受信した識別用数値情報が前記所定の記憶部に記憶されているか否かを判定する処理と、前記第２の端末から受信した識別用数値情報が前記所定の記憶部に記憶されており、かつ、前記企業識別情報を受信したか否かを問い合わせるアクセスを前記サーバ装置から事前に受けていた場合、前記第２の端末から受信した患者識別情報を前記サーバ装置へ送信する処理と、前記患者識別情報を受信した前記サーバ装置から該サーバ装置にアクセス可能なリダイレクト先情報を受信した場合、前記第２の端末から受信した患者識別情報と、前記リダイレクト先情報とを含むリダイレクト設定情報を生成する処理と、該リダイレクト設定情報を前記第１の端末へ送信する処理と、をコンピュータに実行させ、前記リダイレクト設定情報は、前記サーバ装置が管理する服薬履歴情報を前記第１の端末に表示させるように、前記第１の端末が前記サーバ装置に要求する情報である。
【発明の効果】
【００２０】
本発明によれば、ユーザの手間を軽減し、かつ、高度なセキュリティを確保した上で、情報の閲覧が可能となる。
【図面の簡単な説明】
【００２１】
【図１】本発明の実施の形態に係る服薬履歴管理システムの構成の一例を示す図
【図２】本発明の実施の形態に係る医療機関端末の構成の一例を示す図
【図３】本発明の実施の形態に係る患者端末の構成の一例を示す図
【図４】本発明の実施の形態に係るサーバ装置の構成の一例を示す図
【図５】本発明の実施の形態に係る乱数値管理テーブルの一例を示す図
【図６】本発明の実施の形態に係る服薬履歴管理テーブルの一例を示す図
【図７】本発明の実施の形態に係る服薬履歴管理システムの動作の一例を示す図
【図８】本発明の実施の形態に係る服薬履歴管理システムの動作の一例を示す図
【図９】本発明の実施の形態の変形例に係る服薬履歴管理システムの動作の一例を示す図
【図１０】本発明の実施の形態の変形例に係る服薬履歴管理システムの動作の一例を示す図
【発明を実施するための形態】
【００２２】
以下、本発明の実施の形態について、図面を参照して詳細に説明する。なお、以下に説明する実施の形態は一例であり、本発明はこの実施の形態により限定されるものではない。
【００２３】
＜服薬履歴管理システムの構成＞
まず、本発明の実施の形態に係る服薬履歴管理システム１の構成について、図１を用いて説明する。図１は、本実施の形態に係る服薬履歴管理システム１の構成の一例を示す図である。
【００２４】
服薬履歴管理システム１は、医療機関端末１０、患者端末１１、サーバ装置１２を有する。
【００２５】
医療機関端末１０（第１の端末の一例）は、例えば病院や薬局などの医療機関に設置され、医療関係者によって使用される装置（例えば、パーソナルコンピュータ、スマートフォン、タブレット等）である。
【００２６】
患者端末１１（第２の端末の一例）は、医療機関を利用する患者によって使用される装置（例えば、パーソナルコンピュータ、スマートフォン、タブレット等）である。
【００２７】
サーバ装置１２（服薬履歴管理装置の一例）は、例えば、電子版お薬手帳のサービスを提供する事業者または専用アプリケーションを提供する事業者によって運用、管理される装置である。専用アプリケーションとは、患者端末１１で動作する、電子版お薬手帳（服薬履歴情報）の閲覧機能などを備えたアプリケーションソフトウェアである。
【００２８】
サーバ装置１２と医療機関端末１０は、所定のネットワークを介して通信を行う。また、サーバ装置１２と患者端末１１は、所定のネットワークを介して通信を行う。所定のネットワークは、有線ネットワーク、無線ネットワーク、または、有線ネットワークと無線ネットワークとが混在したネットワークのいずれであってもよい。
【００２９】
＜医療機関端末の構成＞
次に、本発明の実施の形態に係る医療機関端末１０の構成について、図２を用いて説明する。図２は、本実施の形態に係る医療機関端末１０の構成の一例を示す図である。
【００３０】
医療機関端末１０は、入力部１０１、通信部１０２、表示部１０３、タイマ部１０４、記憶部１０５、制御部１０６を有する。
【００３１】
入力部１０１は、タッチパネル、キーボード、マウスなどの入力装置である。入力部１０１は、医療関係者の操作を受け付け、受け付けた操作の内容を制御部１０６に出力する。
【００３２】
例えば、入力部１０１は、サーバ装置１２に対して乱数値情報を要求する操作や、服薬履歴情報を要求する操作を受け付ける。乱数値情報および服薬履歴情報の詳細については後述する。
【００３３】
通信部１０２は、送信回路、受信回路などを含む通信装置である。通信部１０２は、制御部１０６の制御により、サーバ装置１２と所定のネットワークを介して通信を行う。
【００３４】
例えば、通信部１０２は、乱数値情報の要求をサーバ装置１２へ送信する。また、例えば、通信部１０２は、服薬履歴情報の要求をサーバ装置１２へ送信する。
【００３５】
また、例えば、通信部１０２は、サーバ装置１２から乱数値情報を受信する。また、例えば、通信部１０２は、サーバ装置１２から服薬履歴情報、第１の処理結果情報、第２の処理結果情報を受信する。第１の処理結果情報および第２の処理結果情報の詳細については後述する。
【００３６】
表示部１０３は、ディスプレイなどの表示装置である。表示部１０３は、制御部１０６の制御により、情報の表示を行う。
【００３７】
例えば、表示部１０３は、サーバ装置１２へアクセスするためのウェブサイト、通信部１０２がサーバ装置１２から受信した乱数値情報や服薬履歴情報を表示する。
【００３８】
タイマ部１０４は、所定時間を計測するタイマ装置である。
【００３９】
記憶部１０５は、メモリまたはハードディスク装置などの記憶デバイスであり、種々の情報を記憶する。
【００４０】
例えば、記憶部１０５は、医療機関識別情報２０１を記憶する。医療機関識別情報２０１は、予め定められた医療機関を識別可能な情報である。
【００４１】
また、例えば、記憶部１０５は、通信部１０２がサーバ装置１２から受信した情報（例えば、乱数値情報、服薬履歴情報、第１の処理結果情報、第２の処理結果情報など）を記憶する。
【００４２】
制御部１０６は、プロセッサなどの制御デバイスであり、医療機関端末１０が行う各処理を制御する。制御部１０６による制御の詳細については、図７、図８を用いて後述する。
【００４３】
＜患者端末の構成＞
次に、本発明の実施の形態に係る患者端末１１の構成について、図３を用いて説明する。図３は、本実施の形態に係る患者端末１１の構成の一例を示す図である。
【００４４】
患者端末１１は、入力部１１１、通信部１１２、表示部１１３、記憶部１１５、制御部１１６を有する。
【００４５】
入力部１１１は、タッチパネル、キーボード、マウスなどの入力装置である。入力部１１１は、患者の操作を受け付け、受け付けた操作の内容を制御部１１６に出力する。
【００４６】
例えば、入力部１１１は、専用アプリケーションの起動を指示する操作、乱数値情報を入力する操作、サーバ装置１２へ乱数値情報の送信を指示する操作を受け付ける。
【００４７】
通信部１１２は、アンテナ、送信回路、受信回路などを含む通信装置である。通信部１１２は、制御部１１６の制御により、サーバ装置１２と所定のネットワークを介して通信を行う。
【００４８】
例えば、通信部１１２は、患者識別情報２０２（図３参照）および乱数値情報２１１（図５参照）をサーバ装置１２へ送信する。患者識別情報の詳細については後述する。
【００４９】
また、例えば、通信部１１２は、サーバ装置１２から第３の処理結果情報、第４の処理結果情報を受信する。第３の処理結果情報または第４の処理結果情報の詳細については後述する。
【００５０】
表示部１１３は、ディスプレイなどの表示装置である。表示部１１３は、制御部１１６の制御により、情報の表示を行う。
【００５１】
例えば、表示部１１３は、専用アプリケーションにおける乱数値情報の入力画面、通信部１１２がサーバ装置１２から受信した処理結果情報を表示する。
【００５２】
記憶部１１５は、メモリまたはハードディスク装置などの記憶デバイスであり、種々の情報を記憶する。
【００５３】
例えば、記憶部１１５は、患者識別情報２０２、専用アプリケーション２０３を記憶する。患者識別情報２０２は、予め定められた患者を識別可能な情報である。
【００５４】
また、例えば、記憶部１１５は、通信部１１２がサーバ装置１２から受信した処理結果情報を記憶する。
【００５５】
制御部１１６は、プロセッサなどの制御デバイスであり、患者端末１１が行う各処理を制御する。制御部１１６による制御の詳細については、図７を用いて後述する。
【００５６】
＜サーバ装置の構成＞
次に、本発明の実施の形態に係るサーバ装置１２（服薬履歴管理装置の一例）の構成について、図４を用いて説明する。図４は、本実施の形態に係るサーバ装置１２の構成の一例を示す図である。
【００５７】
サーバ装置１２は、通信部１２２、時計部１２４、記憶部１２５、制御部１２６を有する。
【００５８】
通信部１２２は、送信回路、受信回路などを含む通信装置である。通信部１２２は、制御部１２６の制御により、医療機関端末１０および患者端末１１と所定のネットワークを介して通信を行う。
【００５９】
例えば、通信部１２２は、医療機関端末１０から乱数値情報の要求を受信する。また、例えば、通信部１２２は、乱数値情報を医療機関端末１０へ送信する。
【００６０】
また、例えば、通信部１２２は、医療機関端末１０から服薬履歴情報の要求を受信する。また、例えば、通信部１２２は、服薬履歴情報、第１の処理結果情報、第２の処理結果情報のいずれかを医療機関端末１０へ送信する。
【００６１】
また、例えば、通信部１２２は、患者端末１１から患者識別情報および乱数値情報を受信する。また、例えば、通信部１２２は、第３の処理結果情報または第４の処理結果情報を患者端末１１へ送信する。
【００６２】
時計部１２４は、現在時刻を計時する時計装置である。
【００６３】
記憶部１２５は、メモリまたはハードディスク装置などの記憶デバイスであり、種々の情報を記憶する。
【００６４】
例えば、記憶部１２５は、通信部１２２が医療機関端末１０から受信した情報（例えば、乱数値情報、医療機関識別情報など）を記憶する。例えば、記憶部１２５は、通信部１２２が患者端末１１から受信した情報（例えば、乱数値情報、患者識別情報など）を記憶する。
【００６５】
また、例えば、記憶部１２５は、乱数値管理テーブル２０４、服薬履歴管理テーブル２０５を記憶する。医療機関識別情報２０１は、予め定められた医療機関を識別可能な情報である。乱数値管理テーブル２０４の詳細については図５を用いて後述し、服薬履歴管理テーブル２０５の詳細については図６を用いて後述する。
【００６６】
制御部１２６は、プロセッサなどの制御デバイスであり、医療機関端末１０が行う各処理を制御する。制御部１２６による制御の詳細については、図７、図８を用いて後述する。
【００６７】
＜乱数値管理テーブル＞
次に、乱数値管理テーブル２０４について、図５を用いて説明する。図５は、サーバ装置１２の記憶部１２５に記憶される乱数値管理テーブル２０４の一例を示す図である。
【００６８】
図５に示すように、乱数値管理テーブル２０４は、乱数値情報２１１ごとに、医療機関識別情報２０１、患者識別情報２０２、表示開始時刻情報２１２が紐付けられる。
【００６９】
乱数値情報２１１は、制御部１２６により生成された乱数値（識別用数値の一例）を示す情報である。
【００７０】
医療機関識別情報２０１は、医療機関を示す識別情報である。
【００７１】
患者識別情報２０２は、患者を示す識別情報である。
【００７２】
表示開始時刻情報２１２は、時計部１２４により計時された、服薬履歴情報の表示を開始した時刻を示す情報である。
【００７３】
＜服薬履歴管理テーブル＞
次に、服薬履歴管理テーブル２０５について、図６を用いて説明する。図６は、サーバ装置１２の記憶部１２５に記憶される服薬履歴管理テーブル２０５の一例を示す図である。
【００７４】
図６に示すように、服薬履歴管理テーブル２０５は、患者識別情報２０２ごとに、服薬履歴情報が紐付けられる。服薬履歴情報は、氏名情報２２１、性別情報２２２、年齢情報２２３、調剤薬局情報２２４、医薬品名情報２２５、服用量情報２２６を含む。
【００７５】
患者識別情報２０２は、患者を示す識別情報である。
【００７６】
氏名情報２２１は、患者の氏名を示す情報である。
【００７７】
性別情報２２２は、患者の性別を示す情報である。
【００７８】
年齢情報２２３は、患者の年齢を示す情報である。
【００７９】
調剤薬局情報２２４は、調剤を行った薬局名を示す情報である。
【００８０】
医薬品名情報２２５は、患者が服用している医薬品の名称、または、患者が服用していた医薬品の名称を示す情報である。
【００８１】
服用量情報２２６は、患者が服用している医薬品の量、または、患者が服用していた医薬品の量を示す情報である。なお、図６の例では、１日あたりの服用量としたが、１回あたりの服用量でもよいし、所定期間（例えば、２〜３日、１週間など）あたりの服用量でもよい。
【００８２】
なお、服薬履歴情報は、図６に示した情報以外の情報を含んでもよい。例えば、服薬履歴情報は、病名を示す情報、薬剤師名を示す情報、薬剤師のコメントを示す情報、医薬品の適応症を示す情報、医薬品の常用量を示す情報、医薬品の服用方法を示す情報などを含んでもよい。
【００８３】
また、服薬履歴情報に含まれる各情報は、医療関係者または患者の入力操作により更新されてもよいし、図示しない外部装置から情報を受信することにより更新されてもよい。
【００８４】
＜服薬履歴管理システムの動作＞
次に、本発明の実施の形態に係る服薬履歴管理システム１の動作について、図７、図８を用いて説明する。図７、図８は、服薬履歴管理システム１の動作例（服薬履歴管理方法の一例）を示す図である。服薬履歴管理システム１では、図７に示す動作が行われた後で、図８に示す動作が行われる。図７、図８に示す動作が行われる状況としては、例えば、医者が患者に対面して診察を行う場合が想定される。
【００８５】
初めに、図７に示す動作例について説明する。
【００８６】
まず、医療機関端末１０の入力部１０１は、乱数値情報を要求する操作を受け付ける（ステップＳ１１）。例えば、医療関係者は、医療機関端末１０において、サーバ装置１２と通信するためのウェブページへアクセスし、そのウェブページにおいて乱数値情報を要求する操作を行う。なお、サーバ装置１２と通信するための専用ＵＲＬのウェブページへのアクセス自体を、乱数値情報を要求する操作としてもよい。その場合、乱数値情報が表示された状態でウェブページが表示されることになる。
【００８７】
次に、制御部１０６は、記憶部１０５から医療機関識別情報２０１を読み出し、その医療機関識別情報２０１と乱数値情報の要求をサーバ装置１２へ送信するように通信部１０２を制御する。通信部１０２は、医療機関識別情報２０１と乱数値情報の要求をサーバ装置１２へ送信する（ステップＳ１２）。
【００８８】
次に、サーバ装置１２の通信部１２２が医療機関識別情報２０１と乱数値情報の要求を受信すると、制御部１２６は、例えば５桁の数字列である乱数値を生成する（ステップＳ１３）。そして、制御部１２６は、記憶部１２５から乱数値管理テーブル２０４を読み出し、生成した乱数値を示す乱数値情報２１１が、乱数値管理テーブル２０４に含まれているかを確認する。もし含まれている場合、制御部１２６は、再度、乱数値を生成し、乱数値管理テーブル２０４を用いて同様の確認を行う。
【００８９】
次に、制御部１２６は、生成した乱数値を示す乱数値情報２１１と、医療機関端末１０から受信した医療機関識別情報２０１とを紐付けて乱数値管理テーブル２０４に記録する（ステップＳ１４）。例えば、生成した乱数値が「１２３４５」であり、受信した医療機関識別情報２０１が「１００１１」である場合、図５に示すように、乱数値情報２１１「１２３４５」と医療機関識別情報２０１「１００１１」とが紐付けられて記録される。なお、この時点では、患者識別情報２０２および表示開始時刻情報２１２はブランク（未記録）である。
【００９０】
次に、制御部１２６は、乱数値情報２１１を医療機関端末１０へ送信するように通信部１２２を制御する。通信部１２２は、乱数値情報２１１を医療機関端末１０へ送信する（ステップＳ１５）。
【００９１】
次に、医療機関端末１０の通信部１０２が乱数値情報２１１を受信すると、制御部１０６は、乱数値情報２１１を記憶部１０５に記憶させるとともに、乱数値情報２１１を表示するように表示部１０３を制御する。表示部１０３は、乱数値情報２１１を表示する（ステップＳ１６）。
【００９２】
ここで、医療関係者は、表示部１０３に表示された乱数値情報２１１を、例えば口頭で患者に伝える。そして、患者は、患者端末１１において、専用アプリケーション２０３を起動し、伝えられた乱数値情報２１１を入力する操作と、乱数値情報２１１のサーバ装置１２への送信を指示する操作とを行う。患者端末１１の入力部１１１は、それらの操作を受け付ける（ステップＳ１７）。
【００９３】
次に、制御部１１６は、記憶部１１５から患者識別情報２０２を読み出し、その患者識別情報２０２と乱数値情報２１１をサーバ装置１２へ送信するように通信部１１２を制御する。通信部１１２は、患者識別情報２０２と乱数値情報２１１をサーバ装置１２へ送信する（ステップＳ１８）。
【００９４】
次に、サーバ装置１２の通信部１２２が患者識別情報２０２と乱数値情報２１１を受信すると、制御部１２６は、受信した乱数値情報２１１が乱数値管理テーブル２０４に記録済みであるか否かを判定する（ステップＳ１９）。
【００９５】
ステップＳ１９の判定の結果、乱数値情報２１１が記録済みではない場合（ステップＳ１９：ＮＯ）、制御部１２６は、第３の処理結果情報を生成する（ステップＳ２０）。この第３の処理結果情報は、例えば、乱数値情報２１１が未登録である旨のメッセージを含む情報である。
【００９６】
一方、ステップＳ１９の判定の結果、乱数値情報２１１が記録済みである場合（ステップＳ１９：ＹＥＳ）、制御部１２６は、時計部１２４により計時された現在時刻を取得し、その現在時刻を服薬履歴情報の表示を開始した時刻（以下、表示開始時刻という）として示す表示開始時刻情報を生成する（ステップＳ２１）。ここで取得される表示開始時刻は、例えば、サーバ装置１２が患者端末１１から乱数値情報２１１および患者識別情報２０２を受信した後の時刻（第１の時刻の一例）である。
【００９７】
次に、制御部１２６は、乱数値管理テーブル２０４において、患者端末１１から受信した乱数値情報２１１に、患者識別情報２０２と、表示開始時刻情報２１２とを紐付けて記録する（ステップＳ２２）。例えば、受信した乱数値情報２１１が「１２３４５」であり、受信した患者識別情報２０２が「９８７８７」であり、表示開始時刻情報２１２が「１１：４０」である場合、図５に示すように、乱数値情報２１１「１２３４５」に対して、患者識別情報２０２「９８７８７」と表示開始時刻情報２１２「１１：４０」とが紐付けられて記録される。
【００９８】
次に、制御部１２６は、第４の処理結果情報を生成する（ステップＳ２３）。この第４の処理結果情報は、例えば、乱数値情報２１１が登録済みである旨のメッセージ（または、服薬履歴情報の表示処理を開始できる旨のメッセージでもよい）を含む情報である。
【００９９】
次に、制御部１２６は、第３の処理結果情報または第４の処理結果情報を患者端末１１へ送信するように通信部１２２を制御する。通信部１２２は、第３の処理結果情報または第４の処理結果情報を患者端末１１へ送信する（ステップＳ２４）。
【０１００】
次に、患者端末１１の通信部１１２が第３の処理結果情報または第４の処理結果情報を受信すると、制御部１１６は、第３の処理結果情報または第４の処理結果情報を表示するように表示部１１３を制御する。表示部１１３は、第３の処理結果情報または第４の処理結果情報を表示する（ステップＳ２５）。
【０１０１】
ここで、患者は、表示部１１３に表示された処理結果情報の種類に応じて、以下のように行動する。
【０１０２】
例えば、処理失敗を示す第３の処理結果情報が表示された場合、患者は、入力した乱数値情報２１１が間違っていた可能性があるので、再度、乱数値情報２１１の入力操作と、乱数値情報２１１の送信を指示する操作を行う。または、例えば、医療関係者が間違った乱数値情報２１１を患者に伝えた可能性があるので、患者は、医療関係者に乱数値情報２１１を確認した上で、再度、乱数値情報２１１の入力操作と、乱数値情報２１１の送信を指示する操作を行う。
【０１０３】
例えば、処理成功を示す第４の処理結果情報が表示された場合、患者は、処理成功の旨（例えば、服薬履歴情報の表示処理が開始可能となった旨）を例えば口頭で医療関係者に伝える。
【０１０４】
次に、図８に示す動作例について説明する。
【０１０５】
患者から処理成功を伝えられた医療関係者は、医療機関端末１０の入力部１０１に対して、その患者の服薬履歴情報の送信を指示する操作を行う。医療機関端末１０の入力部１０１は、その操作を受け付ける（ステップＳ２６）。
【０１０６】
次に、制御部１０６は、記憶部１０５から医療機関識別情報２０１および乱数値情報２１１を読み出し、医療機関識別情報２０１、乱数値情報２１１、および服薬履歴情報の要求をサーバ装置１２へ送信するように通信部１０２を制御する。通信部１０２は、医療機関識別情報２０１、乱数値情報２１１、および服薬履歴情報の要求をサーバ装置１２へ送信する（ステップＳ２７）。
【０１０７】
次に、サーバ装置１２の通信部１２２が医療機関識別情報２０１、乱数値情報２１１、および服薬履歴情報の要求を受信すると、制御部１２６は、記憶部１２５から乱数値管理テーブル２０４を読み出す。そして、制御部１２６は、乱数値管理テーブル２０４において、受信した乱数値情報２１１および医療機関識別情報２０１に患者識別情報２０２が紐付いて記録されている否かを判定する（ステップＳ２８）。
【０１０８】
ステップＳ２８の判定の結果、患者識別情報２０２が記録されていない場合（ステップＳ２８：ＮＯ）、制御部１２６は、患者識別情報２０２が未登録である旨を示す第１の処理結果情報を生成する（ステップＳ２９）。
【０１０９】
一方、ステップＳ２８の判定の結果、患者識別情報２０２が記録されている場合（ステップＳ２８：ＹＥＳ）、制御部１２６は、時計部１２４により計時された現在時刻を取得する。ここで取得される現在時刻は、例えば、サーバ装置１２が医療機関端末１０から服薬履歴情報の要求を受信した後の時刻（第２の時刻の一例）である。そして、制御部１２６は、今回取得した時刻と、乱数値管理テーブル２０４に記録されている表示開始時刻情報２１２が示す表示開始時刻との差分である経過時間を算出する（ステップＳ３０）。
【０１１０】
次に、制御部１２６は、算出した経過時間が規定時間以内であるか否かを判定する（ステップＳ３１）。規定時間は、服薬履歴情報の表示処理を可能とする時間（換言すれば、医療関係者が医療機関端末１０において服薬履歴情報を閲覧可能な時間）であり、例えば、１分〜２分の範囲内で設定される。
【０１１１】
ステップＳ３１の判定の結果、経過時間が規定時間以内でない場合（ステップＳ３１：ＮＯ）、制御部１２６は、乱数値管理テーブル２０４から、受信した乱数値情報２１１と、それに紐付いている医療機関識別情報２０１、患者識別情報２０２、および表示開始時刻情報２１２を削除する（ステップＳ３２）。なお、乱数値管理テーブル２０４において、乱数値情報２１１および医療機関識別情報２０１は記録されているが、患者識別情報２０２および表示開始時刻情報２１２が記録されていない場合は、例えば、患者が乱数値管理テーブル２０４に記録済みの乱数値情報２１１を入力または送信していない場合である。
【０１１２】
そして、制御部１２６は、医療機関端末１０における服薬履歴情報の表示処理を終了させる旨を示す第２の処理結果情報を生成する（ステップＳ３３）。
【０１１３】
一方、ステップＳ３１の判定の結果、経過時間が規定時間以内である場合（ステップＳ３１：ＹＥＳ）、制御部１２６は、記憶部１２５から服薬履歴管理テーブル２０５を読み出し、その服薬履歴管理テーブル２０５から、患者識別情報２０２を含む服薬履歴情報を取得する（ステップＳ３４）。例えば、乱数値管理テーブル２０４に記録されている患者識別情報２０２が「９８７８７」である場合、服薬履歴情報として、図６に示した、氏名情報２２１「Ａ」、性別情報２２２「男」、年齢情報２２３「５１」、調剤薬局情報２２４「薬局ａ」、医薬品名情報２２５「Ｘ」、服用量情報２２６「３．５ｇ／日」が取得される。
【０１１４】
次に、制御部１２６は、服薬履歴情報、第１の処理結果情報、または第２の処理結果情報を医療機関端末１０へ送信するように通信部１２２を制御する。通信部１２２は、服薬履歴情報、第１の処理結果情報、または第２の処理結果情報を医療機関端末１０へ送信する（ステップＳ３５）。
【０１１５】
次に、医療機関端末１０の通信部１０２が服薬履歴情報、第１の処理結果情報、または第２の処理結果情報を受信すると、制御部１０６は、どの情報を受信したかを判定する（ステップＳ３６）。
【０１１６】
ステップＳ３６の判定の結果、第１の処理結果情報を受信した場合（ステップＳ３６：第１の処理結果情報）、ステップＳ３９の判定処理を行う。ステップＳ３９については後述する。なお、制御部１０６は、ステップＳ３９の判定処理の前に、第１の処理結果情報を表示するように表示部１０３を制御してもよい。これにより、表示部１０３には、例えば、第１の処理結果情報（例えば、患者識別情報２０２が未登録である旨のメッセージ等）が表示される。この表示を見た医療関係者は、例えば、患者に対して、患者識別情報２０２および乱数値情報２１１の送信操作を行うように促すことができる。
【０１１７】
ステップＳ３６の判定の結果、第２の処理結果情報を受信した場合（ステップＳ３６：第２の処理結果情報）、制御部１０６は、服薬履歴情報の表示処理を終了する（ステップＳ３７）。例えば、第２の処理結果情報を受信したときに表示部１０３が服薬履歴情報を表示している場合、制御部１０６は、服薬履歴情報の表示を終了するように表示部１０３を制御する。また、例えば、第２の処理結果情報を受信したときに表示部１０３が服薬履歴情報を表示していない場合、制御部１０６は、一連の処理を終了する。これにより、服薬履歴情報の表示時間を制限して、自動的に服薬履歴情報を非表示にすることができる。そのため、例えば、ユーザ識別情報を入手した医療者関係者が、ユーザの許可なく服薬履歴情報の閲覧を継続することを防ぐことができる。
【０１１８】
ステップＳ３６の判定の結果、服薬履歴情報を受信した場合（ステップＳ３６：服薬履歴情報）、制御部１０６は、その服薬履歴情報を表示するように表示部１０３を制御するとともに、所定時間の計測を開始するようにタイマ部１０４に指示する。表示部１０３は、服薬履歴情報を表示する（ステップＳ３８）。また、タイマ部１０４は、所定時間の計測を開始する。
【０１１９】
次に、制御部１０６は、所定時間が経過したか否かを判定する（ステップＳ３９）。例えば、制御部１０６は、所定時間が経過した時点でタイマ部１０４から出力される信号を受け取ることで、所定時間が経過したと判定する。ここでの所定時間は、例えば、上述した規定時間よりも短い時間とする。
【０１２０】
ステップＳ３９の判定の結果、所定時間が経過していない場合（ステップＳ３９：ＮＯ）、制御部１０６は、待機する。
【０１２１】
一方、ステップＳ３９の判定の結果、所定時間が経過した場合（ステップＳ３９：ＹＥＳ）、制御部１０６は、再度、医療機関識別情報２０１、乱数値情報２１１、および服薬履歴情報の要求をサーバ装置１２へ送信するように通信部１０２を制御する。そして、通信部１０２は、再び、医療機関識別情報２０１、乱数値情報２１１、および服薬履歴情報の要求をサーバ装置１２へ送信する（ステップＳ２７）。これにより、患者により行われる患者識別情報２０２および乱数値情報２１１の送信を待機することができる。または、医療機関端末１０における服薬履歴情報の表示処理を継続するかまたは終了するかの判定（ステップＳ３３）をサーバ装置１２に委ねることができる。
【０１２２】
＜実施の形態の作用効果＞
以上説明したように、本実施の形態によれば、以下の作用効果を奏する。
【０１２３】
医療関係者は、服薬履歴管理システム１の使用前に登録操作を行う必要がなく、また、服薬履歴情報の閲覧の度にログイン操作を行う必要もないため、手間がかからない。
【０１２４】
また、医療関係者は、服薬履歴情報の閲覧の度に、その服薬履歴情報を閲覧可能とする情報を患者から聞き出し、その入力操作を行う必要がなく、手間がかからない。また、患者は、医療関係者に伝えるためにその情報を覚えておく必要がなく、手間がかからない。または、患者は、その情報を覚えていない場合、医療関係者に伝えるためにその情報を患者端末１１に表示させる操作を行う必要がなく、手間がかからない。
【０１２５】
また、服薬履歴情報の閲覧の際、患者が自分の服薬履歴情報を閲覧可能とする情報を医療関係者に伝える必要がないため、患者がその情報を閲覧資格の無い相手（例えば、医療関係者になりすました悪意のある第三者や、医療関係者であっても閲覧資格の無い者）に伝えてしまうことを回避できる。その結果、この情報が漏洩し、いつでも患者の承諾無く服薬履歴情報が閲覧されることを回避できるので、高度なセキュリティを確保できる。また、患者は、自分の服薬履歴情報を閲覧させる相手を目視で確認した上で、さらに服薬履歴情報を閲覧可能とする動作を専用アプリケーションにて行うことにより、明示的に了承を行うことができる。
【０１２６】
以上により、本実施の形態によれば、医療関係者と患者の手間を軽減でき、かつ、高度なセキュリティを確保した上で、服薬履歴情報の閲覧が可能となる。
【０１２７】
＜実施の形態の変形例＞
以上、本発明の実施の形態について説明したが、本発明は上記実施の形態に限定されるものではなく、種々の変形が可能である。以下、変形例について説明する。
【０１２８】
（変形例１）
上記実施の形態では、患者が患者端末１１において専用アプリケーション２０３を起動し、その専用アプリケーション２０３を用いて乱数値情報２１１を入力する操作および乱数値情報２１１の送信を指示する操作を行う（図７のステップＳ１７）としたが、これに限定されない。例えば、患者は、患者端末１１において、サーバ装置１２へアクセスするためのウェブページにアクセスし、そのウェブページから乱数値情報２１１を入力する操作および乱数値情報２１１の送信を指示する操作を行ってもよい。
【０１２９】
（変形例２）
上記実施の形態では、患者が乱数値情報２１１を入力する操作および乱数値情報２１１の送信を指示する操作を行う（図７のステップＳ１７）としたが、これに限定されない。例えば、患者は、上記操作に加えて、服薬履歴情報の更新を指示する操作を行ってもよい。この操作により、患者識別情報２０２および乱数値情報２１１に加えて、患者端末１１の内部の服薬履歴情報（氏名情報２２１、性別情報２２２、年齢情報２２３、調剤薬局情報２２４、医薬品名情報２２５、服用量情報２２６の少なくとも１つ）の更新内容を示す更新情報がサーバ装置１２へ送信される。そして、サーバ装置１２の制御部１２６は、受信した更新情報に基づいて、記憶部１２５の服薬履歴管理テーブル２０５に記録されている服薬履歴情報の更新を行う。
【０１３０】
（変形例３）
上記実施の形態では、医療関係者が服薬履歴情報を要求する操作を行う（図８のステップＳ２６）としたが、これに限定されない。例えば、医療機関端末１０の制御部１０６は、乱数値情報２１１を表示部１０３に表示させる制御を行った後で、所定時間（患者が乱数値情報２１１を入力する操作にかかると推測される時間。例えば、数十秒〜１分程度）が経過する毎に、医療機関識別情報２０１、乱数値情報２１１、および服薬履歴情報の要求をサーバ装置１２へ送信するように通信部１０２を制御してもよい。これにより、医療関係者が服薬履歴情報を要求する操作を行う手間を省くことができる。さらに、患者が第４の処理結果情報を医療関係者に通知する手間を省くことができる。
【０１３１】
（変形例４）
上記実施の形態では、医療機関識別情報２０１を使用して説明を行ったが、これに限定されない。すなわち、医療機関端末１０におけるウェブブラウザを使用したサーバ装置１２へのアクセスでは、その通信接続状態は維持され、その後の医療機関端末１０とサーバ装置１２との間のデータ交換には一貫性が保たれるので、サーバ装置１２へのアクセス毎にその識別子として使用した医療機関識別情報２０１は不要となる。
【０１３２】
（変形例５）
上記実施の形態では、乱数値管理テーブル２０４および服薬履歴管理テーブル２０５は、サーバ装置１２の記憶部１２５に記憶されるとしたが、これに限定されない。例えば、乱数値管理テーブル２０４および服薬履歴管理テーブル２０５は、サーバ装置１２とは別に設置された外部装置（例えば、データベースサーバ）の記憶部に記憶されてもよい。その場合、サーバ装置１２は、外部装置と通信を行うことで、乱数値管理テーブル２０４および服薬履歴管理テーブル２０５を読み出す。
【０１３３】
例えば、服薬履歴管理テーブル２０５（服薬履歴情報）は、患者端末１１の記憶部１１５に記憶されていてもよい。その場合、服薬履歴情報は、患者端末１１からサーバ装置１２を経由して医療機関端末１０へ送信される。
【０１３４】
（変形例６）
また、上記専用アプリケーションを、異なる薬局の患者の服薬履歴情報を管理する複数のサービス運営会社（以下、企業という）によって共同で使用することもできる。この例について図９を用いて説明する。
【０１３５】
図９の例では、医療機関端末１０、患者端末１１、サーバ装置１２のほかに、サーバ装置１３（服薬履歴管理装置の一例）が存在する。サーバ装置１２は、例えば、企業Ａによって管理される（または、企業Ａの委託を受けて管理される）サーバ装置であり、薬局ａの患者の服薬履歴情報を記憶しているとする。一方、サーバ装置１３は、企業Ｂによって管理される（企業Ｂの委託を受けて管理される）サーバ装置であり、薬局ｂの患者の服薬履歴情報を記憶しているとする。なお、図９では、サーバ装置１３を１つだけ示しているが、サーバ装置１３は、複数存在するとする。
【０１３６】
まず、医療機関端末１０は、医療関係者の操作に基づいて、専用ＵＲＬにアクセスする（ステップＳ４１）。専用ＵＲＬとは、サーバ装置１２へアクセス可能なＵＲＬである。
【０１３７】
次に、サーバ装置１２は、医療機関端末１０からのアクセスがあると、乱数値情報２１１を生成して記憶し、その乱数値情報２１１を医療機関端末１０へ送信する。
【０１３８】
次に、医療機関端末１０は、サーバ装置１２から受信した乱数値情報２１１を表示部１０３に表示する（ステップＳ４２）。医療機関端末１０は、表示された乱数値情報２１１を患者に伝える。
【０１３９】
次に、医療機関端末１０は、一定時間毎にサーバ装置１２へ自動的（医療関係者の操作によらず）にアクセスする（ステップＳ４３）。このアクセスを受けたサーバ装置１２は、例えば３０秒などの一定時間の間、医療機関端末１０に対して、上記提示した乱数値情報を変更せず、提示し続ける。一定時間の経過後、サーバ装置１２は、医療機関端末１０に対して、乱数値情報の有効期限が過ぎたことを提示する。医療関係者が操作せずともその乱数値情報の有効期限がわかるように、医療機関端末１０は、一定時間毎にサーバ装置１２へ自動的にアクセスする。このように、医療機関端末１０に表示されるウェブページが適宜更新される。
【０１４０】
次に、患者（例えば、薬局ｂの患者）は、患者端末１１において、専用アプリケーション２０３（例えば、企業Ａ、Ｂに共通のもの）を起動し、医療関係者から伝えられた乱数値情報２１１を入力し、それをサーバ装置１２へ送信する指示操作を行う。
【０１４１】
次に、患者端末１１は、記憶部１１５に記憶されている患者識別情報２０２と企業識別情報とを読み出し、それらの情報を、入力された乱数値情報とともにサーバ装置１２へ送信する（ステップＳ４４）。企業識別情報は、企業（例えば、企業Ａ、企業Ｂ）を識別可能な情報であり、例えば、後述する企業識別情報管理テーブル２０６に登録されている文字列である。
【０１４２】
次に、サーバ装置１２は、先に生成して記憶した乱数値情報２１１と、患者端末１１から受信した乱数値情報とが一致した場合、患者端末１１から受信した患者識別情報に対応する服薬履歴情報をサーバ装置１２自身が記憶（保持）しているかを確認する。
【０１４３】
上記確認の結果、サーバ装置１２が服薬履歴情報を記憶していない場合、サーバ装置１２は、患者端末１１から受信した企業識別情報に基づいて、リダイレクト先ＵＲＬを特定する（ステップＳ４５）。例えば、サーバ装置１２の記憶部１０５は、図９に示す企業識別情報管理テーブル２０６を記憶している。企業識別情報管理テーブル２０６は、企業識別情報とリダイレクト先ＵＲＬとが紐付いて記録されている。リダイレクト先ＵＲＬ（リダイレクト先情報の一例）とは、各企業によって管理されるサーバ装置１３へアクセス可能なＵＲＬである。
【０１４４】
次に、サーバ装置１２は、患者端末１１から受信した患者識別情報２０２を引数にセットしてリダイレクトを設定する（ステップＳ４６）。そして、サーバ装置１２は、設定した内容（患者識別情報２０２およびリダイレクト先ＵＲＬ）を示すリダイレクト設定情報２０７を、医療機関端末１０へ送信する。このリダイレクト設定情報２０７の送信は、ステップＳ４３における医療機関端末１０からのアクセスに対して行われる。
【０１４５】
次に、医療機関端末１０は、サーバ装置１３が管理する服薬履歴情報を医療機関端末１０に表示させるように要求するために、リダイレクト設定情報２０７に示されるリダイレクト先ＵＲＬへアクセスする（ステップＳ４７）。このアクセスにより、医療機関端末１０からアクセス先のサーバ装置１３へ患者識別情報２０２が送信される。なお、リダイレクト設定情報は、換言すれば、サーバ装置１３が管理する服薬履歴情報を医療機関端末１０に表示させるように要求する情報と言える。
【０１４６】
次に、サーバ装置１３は、医療機関端末１０から受信した患者識別情報２０２に対応する服薬履歴情報を記憶部から読み出し、その服薬履歴情報を医療機関端末１０へ送信する（ステップＳ４８）。
【０１４７】
次に、医療機関端末１０は、サーバ装置１３から受信した服薬履歴情報を表示部１０３に表示する（ステップＳ４９）。これにより、医療関係者は、患者の服薬履歴情報を閲覧できる。なお、服薬履歴情報は、サーバ装置１２より提供されるウェブサイトにおいて、所定のフレーム内に表示されるようにしてもよい。その場合、上述した規定時間が経過すると、ウェブサイト自体の表示はそのままで、フレーム内の服薬履歴情報のみが非表示となる。
【０１４８】
このように本変形例によれば、医療機関端末１０からの最初のアクセス先を共通としつつ、各サービス運営会社で管理される特徴的な服薬履歴情報の提供の両立が可能となる。
【０１４９】
（変形例７）
複数の企業がそれぞれ独自の専用アプリケーションを提供する場合における服薬履歴情報の表示方法について、図１０を用いて説明する。なお、図１０において、図９と同じ処理については同一の符号を付している。
【０１５０】
サーバ装置１２は、例えば、企業Ａによって管理される（企業Ａの委託を受けて管理される）サーバ装置であり、薬局ａの患者の服薬履歴情報を記憶しているとする。一方、サーバ装置１３は、企業Ｂによって管理される（企業Ｂの委託を受けて管理される）サーバ装置であり、薬局ｂの患者の服薬履歴情報を記憶しているとする。なお、図１０では、サーバ装置１３を１つだけ示しているが、サーバ装置１３は、複数存在するとする。
【０１５１】
また、企業Ａと企業Ｂは、それぞれ、独自の専用アプリケーションを提供しているとする。
【０１５２】
まず、医療機関端末１０は、医療関係者の操作に基づいて、専用ＵＲＬにアクセスする（ステップＳ４１）。専用ＵＲＬとは、サーバ装置１２へアクセス可能なＵＲＬである。
【０１５３】
次に、サーバ装置１２は、医療機関端末１０からのアクセスがあると、乱数値情報２１１を生成して記憶し、その乱数値情報２１１を医療機関端末１０へ送信する。
【０１５４】
次に、医療機関端末１０は、サーバ装置１２から受信した乱数値情報２１１を表示部１０３に表示する（ステップＳ４２）。医療機関端末１０は、表示された乱数値情報２１１を患者に伝える。
【０１５５】
次に、医療機関端末１０は、一定時間毎にサーバ装置１２へ自動的（医療関係者の操作によらず）にアクセスする（ステップＳ４３）。このアクセスを受けたサーバ装置１２は例えば３０秒などの一定時間の間、医療機関端末１０に対して、上記提示した乱数値情報を変更せず、提示し続ける。一定時間の経過後、サーバ装置１２は、医療機関端末１０に対して、乱数値情報の有効期限が過ぎたことを提示する。医療関係者が操作せずともその乱数値情報の有効期限がわかるよう、医療機関端末１０は、一定時間毎にサーバ装置１２へ自動的にアクセスする。このように、医療機関端末１０に表示されるウェブページが適宜更新される。
【０１５６】
また、サーバ装置１３は、一定時間毎にサーバ装置１２へ自動的にアクセスする（ステップＳ５０）。このアクセスは、例えば、サーバ装置１２が企業Ｂを示す企業識別情報を患者端末１１から受信したか否かを問い合わせるものである。
【０１５７】
次に、患者（例えば、薬局ｂの患者）は、患者端末１１において、企業Ｂが提供する専用アプリケーションを起動し、医療関係者から伝えられた乱数値情報２１１を入力し、その乱数値情報２１１を送信する指示操作を行う。なお、例えば、患者端末１１は、企業Ｂが提供する専用アプリケーションを起動した際、その専用アプリケーションから企業識別情報（例えば、企業Ｂの企業識別情報）を読み出し、記憶部１１５に記憶させる。
【０１５８】
次に、患者端末１１は、記憶部１１５から患者識別情報２０２および企業識別情報を読み出し、それらの情報を、入力された乱数値情報とともにサーバ装置１２へ送信する（ステップＳ４４）。
【０１５９】
次に、サーバ装置１２は、企業Ｂの企業識別情報を受信したことにより、その企業識別情報とともに受信した患者識別情報２０２に対応する服薬履歴情報をサーバ装置１２が保持していないと認識する。そして、サーバ装置１２は、先に生成して記憶した乱数値情報２１１と、患者端末１１から受信した乱数値情報とが一致しているかを確認する。
【０１６０】
上記確認の結果、乱数値情報が一致している場合、サーバ装置１２は、ステップＳ５０において受けた問い合わせに対するレスポンスとして、患者端末１１から受信した患者識別情報をサーバ装置１３へ送信する（ステップＳ５１）。
【０１６１】
次に、サーバ装置１３は、サーバ装置１２から患者識別情報を受信すると、その患者識別情報を記憶し、当該患者の服薬履歴情報を表示する表示サイトページなどを準備し、その表示サイトページのＵＲＬをリダイレクト先ＵＲＬとしてサーバ装置１２へ送信する（ステップＳ５２）。ここでいうリダイレクト先ＵＲＬ（リダイレクト先情報の一例）とは、サーバ装置１３へアクセス可能なＵＲＬである。
【０１６２】
次に、サーバ装置１２は、サーバ装置１３からリダイレクト先ＵＲＬを受信すると、そのリダイレクト先ＵＲＬを引数にセットしてリダイレクトを設定する（ステップＳ５３）。そして、サーバ装置１２は、設定した内容（患者識別情報２０２およびリダイレクト先ＵＲＬ）を示すリダイレクト設定情報２０７を、医療機関端末１０へ送信する。このリダイレクト設定情報２０７の送信は、ステップＳ４３における医療機関端末１０からのアクセスに対して行われる。
【０１６３】
次に、医療機関端末１０は、サーバ装置１３が管理する服薬履歴情報を医療機関端末１０に表示させるように要求するために、リダイレクト設定情報２０７に示されるリダイレクト先ＵＲＬへアクセスする（ステップＳ４７）。このアクセスにより、医療機関端末１０からアクセス先のサーバ装置１３へ患者識別情報２０２が送信される。なお、リダイレクト設定情報は、換言すれば、サーバ装置１３が管理する服薬履歴情報を医療機関端末１０に表示させるように要求する情報と言える。
【０１６４】
次に、サーバ装置１３は、医療機関端末１０から受信した患者識別情報２０２に対応する服薬履歴情報を記憶部から読み出し、その服薬履歴情報を医療機関端末１０へ送信する（ステップＳ４８）。
【０１６５】
次に、医療機関端末１０は、サーバ装置１３から受信した服薬履歴情報を表示部１０３に表示する（ステップＳ４９）。これにより、医療関係者は、患者の服薬履歴情報を閲覧できる。なお、服薬履歴情報は、サーバ装置１２より提供されるウェブサイトにおいて、所定のフレーム内に表示されるようにしてもよい。その場合、上述した規定時間が経過すると、ウェブサイト自体の表示はそのままで、フレーム内の服薬履歴情報のみが非表示となる。
【０１６６】
このように本変形例によれば、企業Ａ、Ｂにより提供される専用アプリケーションが異なる場合でも、医療機関端末１０からの最初のアクセス先を共通としつつ、各サービス運営会社で管理される特徴的な服薬履歴情報の提供の両立が可能となる。
【０１６７】
（変形例８）
上記実施の形態では、予め設定された規定時間の間、医療関係者が服薬履歴情報を閲覧できるとしたが、この規定時間は、医療関係者の指示により延長されてもよい。
【０１６８】
例えば、医療関係者は、医療機関端末１０において乱数値情報を要求する操作を行う際に（図７のステップＳ１１）、医師名を入力する。この医師名の情報は、医療機関識別情報、乱数値情報の要求とともに、サーバ装置１２へ送信される（図７のステップＳ１２）。そして、サーバ装置１２は、乱数値管理テーブル２０４において、乱数値情報、医療機関識別情報、医師名の情報を紐付けて記録する（図７のステップＳ１４）。
【０１６９】
その後、サーバ装置１２は、医療機関端末１０から受信した乱数値情報および医療機関識別情報に、患者識別情報および医師名の情報が紐付いて記録されているかを判定する（図８のステップＳ２８）。この判定の結果、患者識別情報および医師名の情報が紐付いて記録されている場合、サーバ装置１２は、上述した規定時間に予め定められた時間を加えることで延長された規定時間を算出する。例えば、規定時間が１分である場合、サーバ装置１２は、その規定時間に延長分の２分を加えて、規定時間を１分から３分に変更する（例えば、患者が医師の前で診察を受けている場合）。または、例えば、規定時間が１分である場合、サーバ装置１２は、その規定時間に延長分の２９分を加えて、規定時間を１分から３０分に変更する（患者が診察前に待合室等で待機している間、医師が事前にその患者の服薬履歴情報を確認する場合）。
【０１７０】
そして、サーバ装置１２は、図８のステップＳ３１において、経過時間が、延長された規定時間以内であるか否かを判定する。
【０１７１】
なお、本変形例では、医療関係者が医師名を入力する場合を例に挙げたが、これに限定されず、例えば、規定時間を延長する旨の指示情報の入力であってもよい。
【０１７２】
このようにして、本変形例では、医療関係者が予め所定の情報を入力することで、服薬履歴情報の閲覧ができる時間を延長することができる。
【０１７３】
（変形例９）
また、上記実施の形態において、サーバ装置１２は、医療機関端末１０における予め定められたアプリケーションソフトウェアまたはウェブブラウザからのアクセスに対してのみ、服薬履歴情報の閲覧を許可してもよい。
【０１７４】
以上、変形例について説明した。上記各変形例は、任意に組み合わせてもよい。
【０１７５】
なお、上述した実施の形態および変形例における医療機関端末１０、患者端末１１、サーバ装置１２、およびサーバ装置１３の各機能は、コンピュータプログラムにより実現され得る。具体的には、コンピュータが備えるＣＰＵ（Central Processing Unit）が、記憶装置に記憶されたプログラムをＲＡＭ（Random Access Memory）にコピーし、そのプログラムに含まれる命令をＲＡＭから順次読み出して実行することにより、上述した各機能が実現される。
【０１７６】
２０１５年４月１６日出願の特願２０１５−０８４１４４の日本出願に含まれる明細書、図面および要約書の開示内容は、すべて本願に援用される。
【産業上の利用可能性】
【０１７７】
本発明にかかる服薬履歴管理方法、服薬履歴管理装置、および、服薬履歴管理プログラムは、医薬品の服用の履歴を管理するのに好適である。
【符号の説明】
【０１７８】
１  服薬履歴管理システム
１０  医療機関端末
１１  患者端末
１２、１３  サーバ装置
１０１、１１１  入力部
１０２、１１２、１２２  通信部
１０３、１１３  表示部
１０４  タイマ部
１０５、１１５、１２５  記憶部
１０６、１１６、１２６  制御部
１２４  時計部
２０１  医療機関識別情報
２０２  患者識別情報
２０３  専用アプリケーション
２０４  乱数値管理テーブル
２０５  服薬履歴管理テーブル
２０６  企業識別情報管理テーブル
２０７  リダイレクト設定情報
２１１  乱数値情報
２１２  表示開始時刻情報
２２１  氏名情報
２２２  性別情報
２２３  年齢情報
２２４  調剤薬局情報
２２５  医薬品名情報
２２６  服用量情報
【図１】
2016166954.tif 000003
【図２】
2016166954.tif 000004
【図３】
2016166954.tif 000005
【図４】
2016166954.tif 000006
【図５】
2016166954.tif 000007
【図６】
2016166954.tif 000008
【図７】
2016166954.tif 000009
【図８】
2016166954.tif 000010
【図９】
2016166954.tif 000011
【図１０】
2016166954.tif 000012
【国際調査報告】
2016166954.tif 000013
2016166954.tif 000014
2016166954.tif 000015
2016166954.tif 000016